(57)【要約】      （修正有）【課題】複数のハードディスクドライブを鉛直方向に並べて装着可能な画像形成装置において、ハードディスクドライブと制御基板とを電気的に接続するコネクタの交換性を向上させることができる画像形成装置を提供する。【解決手段】画像形成部を制御する制御基板と、ＨＤＤ４３０を水平方向から挿入して装着するためのガイドフレーム４２０と、ガイドフレーム４２０と鉛直方向に並んで配置され、ＨＤＤを同じ方向から挿入して装着するためのガイドフレームと、各々のガイドフレーム４２０に対して鉛直方向からビス止めされたＨＤＤと制御基板とを電気的に接続するためのコネクタ４５０、４５１であって、コネクタ４５０とコネクタ４５１とを鉛直方向において重ならないようにずらして配置し、ガイドフレームにおいて、コネクタ４５０と鉛直方向で重なる位置には、鉛直方向に貫通する貫通孔４２４ａ、４２４ｂが形成されている。【選択図】図７
2019059085.tif 000002
【特許請求の範囲】
【請求項１】
画像を形成する画像形成部を制御する制御基板と、
データを記憶する第１のハードディスクドライブを水平方向から挿入して装着するための第１装着部と、
前記第１装着部と鉛直方向に並んで配置され、データを記憶する第２のハードディスクドライブを、前記第１のハードディスクドライブの前記第１装着部に対する挿入方向と同じ方向から挿入して装着するための第２装着部と、
前記第１装着部に装着される前記第１のハードディスクドライブに前記挿入方向の下流側の位置で接続され、前記第１装着部に対して鉛直方向からビス止めされ、前記第１のハードディスクドライブと前記制御基板とを電気的に接続するための第１のコネクタと、
前記第２装着部に装着される前記第２のハードディスクドライブに前記挿入方向の下流側の位置で接続され、前記第２装着部に対して鉛直方向からビス止めされ、前記第２のハードディスクドライブと前記制御基板とを電気的に接続するための第２のコネクタであって、前記第１のコネクタと鉛直方向において重ならないように、前記第１のコネクタに対して前記挿入方向の下流側にずらして配置された第２のコネクタと、
を備え、
前記第２装着部において、前記第１のコネクタと鉛直方向で重なる位置には、鉛直方向に貫通する貫通孔が形成されていることを特徴とする画像形成装置。
【請求項２】
前記第２装着部に装着された前記第２のハードディスクドライブの前記挿入方向の上流端面は、前記第１装着部に装着された前記第１のハードディスクドライブの前記挿入方向の上流端面に対して、前記挿入方向の下流側にずらして配置されることを特徴とする請求項１に記載の画像形成装置。
【請求項３】
画像形成装置本体に対して回動自在に軸支され、回動することで前記第１装着部に装着された前記第１のハードディスクドライブと前記第２装着部に装着された前記第２のハードディスクドライブをカバーする閉位置と、前記第１装着部と前記第２装着部を開放して前記第１のハードディスクドライブと前記第２のハードディスクドライブを挿抜可能にする開位置との間を移動するカバー部材をさらに備え、
前記カバー部材は、前記第１のハードディスクドライブと前記第２のハードディスクドライブの前記上流端面の位置に沿うように、水平方向に段差を持った形状を有し、
前記カバー部材の回動中心は、
前記第１装着部が前記第２装着部より上方にある場合、前記第２装着部より下方の位置にあり、
前記第１装着部が前記第２装着部より下方にある場合、前記第２装着部より上方の位置にあり、
且つ、前記第１装着部に装着された前記第１のハードディスクドライブの前記上流端面よりも前記挿入方向の下流側の位置にあることを特徴とする請求項２に記載の画像形成装置。
【発明の詳細な説明】
【技術分野】
【０００１】
本発明は、電子写真複写機、電子写真プリンタ、インクジェットプリンタなどの画像形成装置に関する。
【背景技術】
【０００２】
近年、画像形成装置においては、カラー化、高速化が進んできており、大量の画像データを高速に記憶読取可能にする大容量の記憶装置の必要性が高くなってきている。記憶装置には大量の画像データが蓄積されるため、蓄積されるデータの機密性の観点から定期的に記憶装置を画像形成装置本体から抜出して保管するユーザニーズがある。これを受け、画像形成装置において、装置本体に対して挿抜して着脱可能なハードディスクドライブ（以下、「ＨＤＤ」ともいう）を搭載する構成が多くなってきている。
【０００３】
特許文献１では、図１１に示す様に、画像形成装置Ｂ本体の上面から上方に突出し、且つ、背側に設けられた電装ユニット７４内に、電装ユニット７４に対して着脱可能な２つのＨＤＤ７２ａ、７２ｂを鉛直方向に並べて配置する構成が記載されている。
【先行技術文献】
【特許文献】
【０００４】
【特許文献１】特開２０１６−５７４４２号公報
【発明の概要】
【発明が解決しようとする課題】
【０００５】
画像形成装置においては、ユーザが望む機能をオプションとして後から追加する機会が増えており、そのオプションとしてＨＤＤと画像形成装置の制御基板とを電気的に接続するコネクタを交換することもある。なお、ＨＤＤやコネクタをサービスマンだけでなくユーザ自身で交換可能な構成は、リムーバブルオプションと呼ばれる。
【０００６】
しかし特許文献１に記載の構成のように、２つのＨＤＤ７２ａ、７２ｂを鉛直方向に並べて配置する場合、コネクタの固定方法によっては、コネクタの交換性が悪くなってしまう。特に、コネクタを、ＨＤＤを装着するフレームに対して鉛直方向からビス止めして固定する場合、上側のフレームと下側のフレームとの間にビスが隠れると、ビスにアクセスするためにフレームごと外さなければならず、コネクタの交換性が悪くなってしまう。
【０００７】
そこで本発明はこのような現状に鑑みてなされたものであり、複数のハードディスクドライブを鉛直方向に並べて装着可能な画像形成装置において、ハードディスクドライブと制御基板とを電気的に接続するコネクタの交換性を向上させることができる画像形成装置を提供することを目的とする。
【課題を解決するための手段】
【０００８】
上記目的を達成するための本発明に係る画像形成装置の代表的な構成は、画像を形成する画像形成部を制御する制御基板と、データを記憶する第１のハードディスクドライブを水平方向から挿入して装着するための第１装着部と、前記第１装着部と鉛直方向に並んで配置され、データを記憶する第２のハードディスクドライブを、前記第１のハードディスクドライブの前記第１装着部に対する挿入方向と同じ方向から挿入して装着するための第２装着部と、前記第１装着部に装着される前記第１のハードディスクドライブに前記挿入方向の下流側の位置で接続され、前記第１装着部に対して鉛直方向からビス止めされ、前記第１のハードディスクドライブと前記制御基板とを電気的に接続するための第１のコネクタと、前記第２装着部に装着される前記第２のハードディスクドライブに前記挿入方向の下流側の位置で接続され、前記第２装着部に対して鉛直方向からビス止めされ、前記第２のハードディスクドライブと前記制御基板とを電気的に接続するための第２のコネクタであって、前記第１のコネクタと鉛直方向において重ならないように、前記第１のコネクタに対して前記挿入方向の下流側にずらして配置された第２のコネクタと、を備え、前記第２装着部において、前記第１のコネクタと鉛直方向で重なる位置には、鉛直方向に貫通する貫通孔が形成されていることを特徴とする。
【発明の効果】
【０００９】
本発明によれば、複数のハードディスクドライブを鉛直方向に並べて装着可能な画像形成装置において、ハードディスクドライブと制御基板とを電気的に接続するコネクタの交換性を向上させることができる。
【図面の簡単な説明】
【００１０】
【図１】画像形成装置の断面概略図である。
【図２】画像形成装置の斜視概略図である。
【図３】コントローラボックスを画像形成装置の背面側からみた図である。
【図４】ＨＤＤユニットの拡大図である。
【図５】扉が閉じた状態のＨＤＤユニットを画像形成装置の背面側から見た図である。
【図６】扉が開いた状態のＨＤＤユニットを画像形成装置の背面側から見た図である。
【図７】ビスを取り外す際のＨＤＤユニットの斜視図である。
【図８】コネクタ板金をガイドフレームから取り外す際のＨＤＤユニットの斜視図である。
【図９】コネクタ交換後のＨＤＤユニットの斜視図である。
【図１０】他のＨＤＤユニットの構成を示す図である。
【図１１】従来の画像形成装置の構成を示す斜視図である。
【発明を実施するための形態】
【００１１】
（第１実施形態）
＜画像形成装置＞
以下、まず本発明の第１実施形態に係る画像形成装置の全体構成を画像形成時の動作とともに図面を参照しながら説明する。なお、記載されている構成部品の寸法、材質、形状、その相対配置などは、特に特定的な記載がない限りは、この発明の範囲をそれらのみに限定する趣旨のものではない。
【００１２】
図１は、本実施形態に係る画像形成装置Ａの断面概略図である。図１に示す様に、画像形成装置Ａは、イエロー、マゼンダ、シアン、ブラックの４色のトナーを用いてシートに画像を形成するフルカラーレーザプリンタである。画像形成装置Ａは、シートにトナー像を転写して画像を形成する画像形成部１４１と、画像形成部１４１に向けてシートを供給するシート給送部１３０と、シートにトナー像を定着させる定着部１６０を備える。
【００１３】
画像形成部１４１は、上記各色のトナーを使用して各色のトナー像を形成する画像形成ステーションＹ、Ｍ、Ｃ、Ｂｋを備える。またレーザスキャナユニット１４２、中間転写ベルト１４５、二次転写ローラ１３２、二次転写対向ローラ１３１などを備える。
【００１４】
画像形成ステーションＹ、Ｍ、Ｃ、Ｂｋは、感光体ドラム１４０、帯電装置（不図示）、現像装置１４３、一次転写ローラ１４４をそれぞれ備える。なお、画像形成ステーションＹはイエロー、画像形成ステーションＭはマゼンダ、画像形成ステーションＣはシアン、画像形成ステーションＢｋはブラックのトナーを使用し、使用するトナーの色以外の構成はそれぞれのステーションで同様である。
【００１５】
また画像形成装置Ａの上部には、フィーダ３００が設けられ、その下部には原稿の画像を読み取る画像読取部１５０が設けられている。また画像形成装置Ａの正面側には、操作部２００が設けられている。ユーザは、操作部２００を操作することで、画像読取部１５０に対して原稿の画像情報の読み取り指示を行うことができる。読み取られた画像情報は、画像形成装置Ａの制御部としてＣＰＵ等を搭載した制御基板６１０（図３）により処理される。なお、制御基板６１０は、画像情報の処理の他にも、画像形成部１４１の各々の部材の制御等、画像形成装置Ａ全体の制御を行う。
【００１６】
次に、画像形成動作について説明する。まず、図３に示す制御基板６１０が画像形成ジョブ信号を受信すると、シートカセット１１１に積載収容されたシートＳが給送ローラ１１０、搬送ローラ１２０によってレジストローラ３０に送り込まれる。次に、シートＳは、レジストローラ３０によって斜行補正、タイミング補正がなされた後に、二次転写ローラ１３２と二次転写対向ローラ１３１から形成される二次転写部に送り込まれる。
【００１７】
一方、画像形成部１４１においては、まず帯電装置（不図示）により感光体ドラム１４０表面が帯電させられる。その後、画像読取部１５０により読み取られた原稿の画像データや、不図示の外部機器等から送信された画像データが制御基板６１０に処理され、その処理結果に応じてレーザスキャナユニット１４２が各色の感光体ドラム１４０表面にレーザ光を照射する。これにより感光体ドラム１４０表面に画像データに応じた静電潜像が形成される。
【００１８】
その後、現像装置１４３により感光体ドラム１４０表面に形成された静電潜像に各色のトナーを付着させ、感光体ドラム１４０表面にトナー像を形成する。感光体ドラム１４０表面に形成されたトナー像は、一次転写ローラ１４４に一次転写バイアスが印加されることで、中間転写ベルト１４５にそれぞれ一次転写される。これにより中間転写ベルト１４５表面にフルカラーのトナー像が形成される。
【００１９】
その後、不図示の駆動源から駆動力を受けた二次転写対向ローラ１３１が回転することで、中間転写ベルト１４５が従動回転してトナー像が二次転写部に送られる。そして二次転写部において二次転写ローラ１３２に二次転写バイアスが印加されることで、中間転写ベルト１４５上のトナー像がシートＳに転写される。
【００２０】
次に、トナー像が転写されたシートＳは、定着装置１５５により加熱、加圧処理が施され、これによりシートＳ上のトナー像がシートＳに定着される。その後、トナー像が定着されたシートＳは、排出ローラ１６１によって排出トレイ１７０に排出される。
【００２１】
なお、シートＳ両面に画像を形成する場合、定着装置１５５により定着処理が施されたシートＳは、片面に画像を形成する場合と反対に回転する排出ローラ１６１よって両面搬送ローラ１８０に送られる。その後、シートＳは、両面搬送ローラ１８０から搬送ローラ１２０、レジストローラ３０へと送られる。その後、シートＳは表裏が反転した状態で再び画像形成部１４１に送られ、画像形成部１４１において上記同様にシートＳの裏面に画像形成が行われる。
【００２２】
＜コントローラボックス＞
次に、画像形成装置Ａ背面の外装カバー（不図示）の内側に設けられたコントローラボックス６００について説明する。
【００２３】
図２は、フィーダ３００と外装カバー（不図示）を取り外した状態の画像形成装置Ａを背面側からみた斜視概略図である。図３は、コントローラボックス６００を画像形成装置Ａの背面側からみた図である。なお、以下の説明において、水平方向は図２に示す矢印Ｘ方向であり、鉛直方向は図２に示す矢印Ｙ方向である。
【００２４】
図２、３に示す様に、コントローラボックス６００は、取り付けアーム６０１によって画像形成装置Ａ本体の背面側のフレーム５００に取り付けられている。またコントローラボックス６００は、ＣＰＵ等を搭載した制御基板６１０を内部に収納している。またコントローラボックス６００には、ＨＤＤを搭載するためのＨＤＤユニット４００が取り付けられている。
【００２５】
図４は、ＨＤＤユニット４００の拡大図である。なお、図４は、ＨＤＤユニット４００を画像形成装置Ａの正面側から見た図である。
【００２６】
図４に示す様に、ＨＤＤユニット４００は、コントローラボックス６００に対してダンパー４０１を介してビス４０２で固定された支持板金４１０を有する。支持板金４１０には、扉４７０（カバー部材）を回動自在に軸支する支持軸４７１が取り付けられている。
【００２７】
また支持板金４１０には、データを記憶する第１のハードディスクドライブとしてのＨＤＤ４３０を装着するためのガイドフレーム４２０（第１装着部）が不図示のビスにより固定されている。ＨＤＤ４３０は、ガイドフレーム４２０に対して水平方向から挿抜して着脱される。
【００２８】
また支持板金４１０には、データを記憶する第２のハードディスクドライブとしてのＨＤＤ４３１を装着するためのガイドフレーム４２１（第２装着部）が、鉛直方向においてガイドフレーム４２０と並んで、不図示のビスにより固定されている。ＨＤＤ４３１は、ガイドフレーム４２１に対して水平方向から挿抜して着脱される。具体的には、ＨＤＤ４３１は、ガイドフレーム４２１に対して、ＨＤＤ４３０をガイドフレーム４２０に挿入する挿入方向と同じ方向（図６に示す矢印Ｋ１方向）から挿入して装着される。
【００２９】
ＨＤＤ４３０、４３１は、データを記憶する円盤状のプラッタ（不図示）と、プラッタに記憶されたデータにアクセスするためのアクセスアーム（不図示）等がケース内に設けられている。アクセスアームは、その先端に取り付けられた磁気ヘッドによりプラッタに記憶されたデータにアクセスする。またＨＤＤ４３０、４３１の挿入方向の下流端部には、ケースから露出して、インターフェースコネクタと電源コネクタから構成されるコネクタ接続部４３２、４３３が設けられている。コネクタ接続部４３２、４３３は、後述するコネクタ４５０、４５１に挿入して接続される（図５参照）。
【００３０】
ガイドフレーム４２０、４２１は、板金で構成されており、ＨＤＤ４３０、４３１を囲うように曲げた形状をしている。このようにガイドフレーム４２０、４２１の形状を、ＨＤＤ４３０、４３１を囲うように曲げた形状とすることで、ＨＤＤ４３０、４３１を挿抜する際にＨＤＤ４３０、４３１を挿抜方向にガイドすることができる。このため、後述するＨＤＤ４３０、４３１のコネクタ接続部４３２、４３３をコネクタ４５０、４５１に挿入し易くなる。またガイドフレーム４２０、４２１の水平方向に延びる天面と下面には、ビス４６０〜４６３を挿入するためのビス穴が設けられている（図８参照）。
【００３１】
なお、本実施形態では、支持板金４１０とガイドフレーム４２０、４２１を別部材としてそれぞれ結合させた構成である。しかしこれに限られず、これらの部材を一枚の板金からプレス加工等により形成してもよい。
【００３２】
ガイドフレーム４２０とガイドフレーム４２１は、同形状の部材で構成されており、水平方向において異なる位置に配置されている。このため、ガイドフレーム４２０に装着されたＨＤＤ４３０とガイドフレーム４２１に装着されたＨＤＤ４３１とは、水平方向のずれた位置に配置される。具体的には、ガイドフレーム４２１に装着されたＨＤＤ４３１の挿入方向の上流端面は、ガイドフレーム４２０に装着されたＨＤＤ４３０の挿入方向の上流端面に対して、ＨＤＤ４３１の挿入方向の下流側にずらした位置に配置される。
【００３３】
このように２つのＨＤＤ４３０、４３１を鉛直方向に並べて配置する際に、ＨＤＤ４３０、４３１の位置を水平方向ずらして配置することで、ＨＤＤ４３０、４３１が鉛直方向で重ならない箇所から熱が逃げやすくなり、両者の昇温を抑制することができる。
【００３４】
図５は、扉４７０が閉じた状態のＨＤＤユニット４００を画像形成装置Ａの背面側から見た図である。図６は、扉４７０が開いた状態のＨＤＤユニット４００を画像形成装置Ａの背面側から見た図である。ここで図５、６においては、説明の便宜上、支持板金４１０を透明化している。
【００３５】
図５、６に示す様に、扉４７０は、ＨＤＤ４３０、４３１の挿入方向の上流端面の位置や、ガイドフレーム４２０、４２１の凹凸形状に沿うように、水平方向に段差を持った形状をしている。また扉４７０は、閉位置にあるときに、ガイドフレーム４２０に装着されたＨＤＤ４３０と、ガイドフレーム４２１に装着されたＨＤＤ４３１をカバーする。また開位置にあるとき、ガイドフレーム４２０、４２１を開放して、ＨＤＤ４３０、４３１を矢印Ｋ１、Ｋ２方向に挿抜可能にする。扉４７０は、支持軸４７１を回動中心として回動することで閉位置と開位置との間を移動する。
【００３６】
また扉４７０の回動中心となる支持軸４７１は、ガイドフレーム４２１よりも下方の位置に配置されており、且つ、ガイドフレーム４２０に装着されたＨＤＤ４３０の挿入方向における上流端面よりも挿入方向の下流側の位置に配置されている。このため、扉４７０を９０度回動させるだけで扉４７０がＨＤＤ４３０、４３１の挿抜軌跡から逃れることができ、ＨＤＤ４３０、４３１の挿抜が可能となる。
【００３７】
つまり、仮に扉４７０の回動中心となる支持軸４７１がガイドフレーム４２０より上方の位置に配置されている場合、９０度回動するだけでは扉４７０とＨＤＤ４３０の挿抜軌跡とが重なり、ＨＤＤ４３０を挿抜するためには扉４７０の更なる回動が必要となる。しかし、本実施形態の配置とすることで、扉４７０の回動角度が小さい状態でＨＤＤ４３０、４３１を挿抜することができ、操作性を向上させ、省スペース化を図ることができる。
【００３８】
また扉４７０のＨＤＤ４３０、４３１側の面の形状は、ＨＤＤ４３０、４３１の端面に沿う形状となっている。このため、ＨＤＤ４３０、４３１装着時に接続されるコネクタ４５０、４５１に対して、ＨＤＤ４３０、４３１の挿入量が不足している場合、扉４７０を閉じようとする際に扉４７０とＨＤＤ４３０、４３１の端面とが突き当たる。このため、操作者にＨＤＤ４３０、４３１の挿入不足を報知することができる。また扉４７０がＨＤＤ４３０、４３１に突き当たった状態で扉４７０をさらに閉じることで、扉４７０を介してＨＤＤ４３０、４３１をコネクタ４５０、４５１に挿入することができる。従って、ＨＤＤ４３０、４３１の挿入不良による接続不良を抑制することができる。
【００３９】
＜コネクタ＞
次に、制御基板６１０に対してＨＤＤ４３０、４３１を電気的に接続するためのコネクタ４５０、４５１について説明する。
【００４０】
図５、６に示す様に、ガイドフレーム４２０に装着されたＨＤＤ４３０の挿入方向の下流側には、コネクタ４５０（第１のコネクタ）を保持するコネクタ板金４４０が、ガイドフレーム４２０に対して鉛直方向からビス４６０、４６１によってビス止めされている。コネクタ４５０は、ＨＤＤ４３０の挿入方向下流側に設けられたコネクタ接続部４３２に接続され、ケーブル４３４を介して、ＨＤＤ４３０と制御基板６１０とを電気的に接続する。
【００４１】
同様に、ガイドフレーム４２１に装着されたＨＤＤ４３１の挿入方向の下流側には、コネクタ４５１（第２のコネクタ）を保持するコネクタ板金４４１が、ガイドフレーム４２１に対して鉛直方向からビス４６２、４６３によってビス止めされている。コネクタ４５１は、ＨＤＤ４３１の挿入方向下流側に設けられたコネクタ接続部４３３に接続され、ケーブル４３５を介して、ＨＤＤ４３１と制御基板６１０とを電気的に接続する。
【００４２】
コネクタ板金４４０、４４１は、コネクタ４５０、４５１を囲うように曲げた形状をしている。またコネクタ板金４４０、４４１の水平方向に延びる天面と下面には、ビス４６０〜４６３を挿入するためのビス穴が設けられている（図８参照）。コネクタ板金４４０、４４１の天面、下面は、ガイドフレーム４２０、４２１の天面、下面とそれぞれ重なるように配置され、また両者に設けられたビス穴はそれぞれ連通して、このビス穴にビス４６０〜４６３が挿入される（図８参照）。
【００４３】
またコネクタ４５１は、コネクタ４５０と鉛直方向で重なった位置にならないように、コネクタ４５０に対してＨＤＤ４３１の挿入方向の下流側にずらして配置されている。またガイドフレーム４２１において、コネクタ４５０と鉛直方向で重なる位置には、鉛直方向に貫通する貫通孔４２４ａ、４２４ｂが形成されている。貫通孔４２４ａ、４２４ｂは、水平方向の同じ位置において、ガイドフレーム４２１の天面と下面に形成されている。
【００４４】
ここでコネクタ４５０、４５１は簡易的に交換可能に構成されている。以下、コネクタ４５０、４５１を交換する際の手順について説明する。
【００４５】
まずコネクタ４５１の交換について説明する。コネクタ４５１を交換する際は、取り付けアーム６０１を操作してコントローラボックス６００をフレーム５００から取り外す（図２参照）。次に、ガイドフレーム４２１とコネクタ板金４４１とを固定するビス４６２、４６３を取り外す。その後、コネクタ板金４４１からコネクタ４５１を取り外し、新たなコネクタ４５１をコネクタ板金４４１に取り付ける。その後、再びビス４６２、４６３によってガイドフレーム４２１とコネクタ板金４４１とを固定する。このようにしてコネクタ４５１を交換することができる。
【００４６】
次に、コネクタ４５０の交換について説明する。コネクタ４５０の交換する際も、コネクタ４５１の交換と同様に、まず取り付けアーム６０１を操作してコントローラボックス６００をフレーム５００から取り外す。
【００４７】
次に、ガイドフレーム４２０とコネクタ板金４４０とを固定するビス４６０、４６１を取り外す。ここでビス４６０に関しては、コントローラボックス６００の上方からドライバ７００をアクセスさせて取り外すことができる。
【００４８】
図７は、ビス４６１を取り外す際のＨＤＤユニット４００の斜視図である。図７に示す様に、ビス４６１を取り外す際は、ガイドフレーム４２１に形成された貫通孔４２４ａ、４２４ｂを通じてビス４６１にドライバ７００をアクセスさせる。これによりガイドフレーム４２１を取り外さずにコネクタ４５０を交換することができる。なお、ガイドフレーム４２１内にＨＤＤ４３１が挿入されている場合には、ＨＤＤ４３１を抜くことでビス４６１へのアクセスが可能となる。
【００４９】
つまり、仮にガイドフレーム４２１に貫通孔４２４ａ、４２４ｂがない場合や、コネクタ４５０、４５１が鉛直方向で重なる位置に配置されている場合、ガイドフレーム４２１を取り外さない限り、ドライバ７００をビス４６１にアクセスさせることができない。これに対して本実施形態では、コネクタ４５１が、コネクタ４５０と鉛直方向で重ならないように水平方向にずらして配置されており、且つ、ガイドフレーム４２１においてコネクタ４５０と鉛直方向で重なる位置に貫通孔４２４ａ、４２４ｂが形成されている。従って、ガイドフレーム４２１が固定された状態で、貫通孔４２４ａ、４２４ｂに通じて、ドライバ７００をビス４６１にアクセスさせることができる。このため、コネクタ４５０交換時の工数を削減して、コネクタ４５０の交換作業性を向上させることができる。
【００５０】
次に、図８に示す様に、ビス４６０、４６１を取り外した後、コネクタ板金４４０をガイドフレーム４２０から取り外す。その後、コネクタ板金４４０からコネクタ４５０を取り外し、新たなコネクタ４５０をコネクタ板金４４０に取り付ける。
【００５１】
次に、図９に示す様に、再びビス４６０、４６１によってガイドフレーム４２０とコネクタ板金４４０とを固定する。その後、コントローラボックス６００をフレーム５００に取り付ける（図２参照）。このようにしてコネクタ４５０を交換することができる。
【００５２】
なお、本実施形態では、下側のガイドフレーム４２１が、上側のガイドフレーム４２０に対して、ＨＤＤ４３１の挿入方向の下流側にずれた位置に配置されており、コネクタ４５１もコネクタ４５０に対して同様にずれた位置に配置されている。しかし本発明はこれに限られるものではない。
【００５３】
つまり図１０に示す様に、上側のガイドフレーム４２０が、下側のガイドフレーム４２１に対して、ＨＤＤ４３０の挿入方向の下流側にずれた位置に配置される構成としてもよい。この場合、上側のガイドフレーム４２０において、コネクタ４５１と鉛直方向で重なる位置に、鉛直方向に貫通する貫通孔４２４ａ、４２４ｂを形成する。これによりガイドフレーム４２０が固定された状態で、貫通孔４２４ａ、４２４ｂを通じて、ドライバをビス４６２にアクセスさせることができる。このため、コネクタ４５１交換時の工数を削減して、コネクタ４５１の交換作業性を向上させることができる。
【００５４】
また、この構成の場合、扉４７０の回動中心となる支持軸４７１は、ガイドフレーム４２０よりも上方の位置に配置し、且つ、ガイドフレーム４２１に装着されたＨＤＤ４３１の挿入方向における上流端面よりも挿入方向の下流側の位置に配置する。これにより扉４７０を９０度回動させるだけで扉４７０がＨＤＤ４３０、４３１の挿抜軌跡から逃れることができ、ＨＤＤ４３０、４３１の挿抜が可能となる。従って、扉４７０の回動角度が小さい状態でＨＤＤ４３０、４３１を挿抜することができ、操作性を向上させ、省スペース化を図ることができる。
【符号の説明】
【００５５】
１４１…画像形成部
４２０…ガイドフレーム（第１装着部）
４２１…ガイドフレーム（第２装着部）
４２４ａ…貫通孔
４２４ｂ…貫通孔
４３０…ＨＤＤ（第１のハードディスクドライブ）
４３１…ＨＤＤ（第２のハードディスクドライブ）
４５０…コネクタ（第１のコネクタ）
４５１…コネクタ（第２のコネクタ）
４７０…扉（カバー部材）
４７１…支持軸（カバー部材の回動中心）
６１０…制御基板
Ａ…画像形成装置
【図１】
2019059085.tif 000003
【図２】
2019059085.tif 000004
【図３】
2019059085.tif 000005
【図４】
2019059085.tif 000006
【図５】
2019059085.tif 000007
【図６】
2019059085.tif 000008
【図７】
2019059085.tif 000009
【図８】
2019059085.tif 000010
【図９】
2019059085.tif 000011
【図１０】
2019059085.tif 000012
【図１１】
2019059085.tif 000013